【手続補正書】
【提出日】平成17年1月5日(2005.1.5)
【手続補正１】
【補正対象書類名】明細書
【補正対象項目名】特許請求の範囲
【補正方法】変更
【補正の内容】
【特許請求の範囲】
【請求項１】  医療用デバイスであって、以下：
バスケットであって、複数のワイヤおよび該バスケットの遠位端に配置されるチップジョイントを備える、バスケット、
を備え、該複数のワイヤの各々の端部が、該チップジョイントに固定されており、所定の力が該バスケットに付与される場合に、該複数のワイヤの少なくとも１つの端部が該チップジョイントから取り外される、医療用デバイス。
【請求項２】  さらに、以下：
ハンドル；
該ハンドルから遠位方向に延びるシースであって、該シースが、該シースの遠位端から該シースの近位端へと該シースを通って延びる管腔を有する、シース；および
該シースの該管腔内に軸方向に配置される、細長牽引部材であって、該牽引部材が、該ハンドルから遠位方向に延び、そして前記バスケットの近位端に接続される、牽引部材、
を備える、請求項１に記載のデバイス。
【請求項３】  前記所定の力が、前記牽引部材または前記バスケットの少なくとも１つのワイヤを破損させるために必要な力より小さい、請求項２に記載のデバイス。
【請求項４】  前記チップジョイントが、管状チップ部材を備え、該管状チップ部材が、遠位端、近位端、および該管状チップ部材を通って延びる管腔を有し、ここで、該管状チップ部材の該管腔が、前記バスケットワイヤの前記遠位端を内部に受容するよう適合されている、請求項１に記載のデバイス。
【請求項５】  前記所定の力が前記チップジョイントに付与される場合に、前記バスケットを形成する前記複数のワイヤの少なくとも１つのワイヤが、前記管状チップ部材からスライドして外れ得る、請求項４に記載のデバイス。
【請求項６】  前記牽引部材または前記バスケットを形成する前記複数のワイヤの少なくとも１つのワイヤを破損させるために必要とされる力より小さな力で、前記管状チップ部材が変形する、請求項４に記載のデバイス。
【請求項７】  前記管状チップ部材が、銀ベースの合金、銀、金、白金、ステンレス鋼、およびニッケルチタン合金からなる群より選択される材料から作製される、請求項６に記載のデバイス。
【請求項８】  前記管状チップ部材がプラスチックから作製される、請求項６に記載のデバイス。
【請求項９】  前記牽引部材または前記バスケットを形成する前記複数のワイヤの少なくとも１つのワイヤを破損させるために必要とされる力より小さな力が、約２０ポンド〜５０ポンドの範囲である、請求項６に記載のデバイス。
【請求項１０】  前記牽引部材および前記バスケットが、単一片の材料から形成される、請求項２に記載のデバイス。
【請求項１１】  前記バスケットワイヤが、近位コネクタによって前記牽引部材に接合される、請求項２に記載のデバイス。
【請求項１２】  前記近位コネクタが、近位管状部材を備え、該近位管状部材が、遠位端、近位端、および該近位管状部材を通って延びる管腔を有し、該近位管状部材の該管腔が、前記バスケットの前記近位端を内部に受容するよう適合されている、請求項１１に記載のデバイス。
【請求項１３】  前記バスケットが、引込み位置と拡張位置との間で移動可能であり、該引込み位置において、該バスケットは前記シースの前記管腔内で折り畳まれており、そして該拡張位置において、該バスケットは該シースの前記遠位端から伸び、そして身体内の物体を捕獲するために該管腔の外側に配置される、請求項２に記載のデバイス。
【請求項１４】  前記拡張位置と前記引込み位置との間での前記バスケットの移動が、前記身体内の前記物体を断片化させる、請求項１３に記載のデバイス。
【請求項１５】  前記ハンドルが、少なくとも１つの始動機構を内部に備える、請求項２に記載のデバイス。
【請求項１６】  前記牽引部材が、前記シースに対してスライド式に移動可能である、請求項２に記載のデバイス。
【請求項１７】  前記牽引部材が、前記始動機構に接続されている、請求項１５に記載のデバイス。
【請求項１８】  前記シースが、前記牽引部材に対してスライド式に移動可能である、請求項２に記載のデバイス。
【請求項１９】  前記シースが、前記始動機構に接続されている、請求項１５に記載のデバイス。
【請求項２０】  前記複数のワイヤがステンレス鋼を含む、請求項１に記載のデバイス。
【請求項２１】  前記複数のワイヤがニッケルチタン合金を含む、請求項１に記載のデバイス。
【請求項２２】  前記ハンドルが取り外し可能である、請求項３に記載のデバイス。
【請求項２３】  前記シースが、内視鏡の作業チャネル内に嵌合するような寸法にされている、請求項３に記載のデバイス。
【請求項２４】  身体から物体を除去するための医療用デバイスであって、複数のワイヤおよび遠位端を備えるバスケットを備え、該バスケットに所定の力が付与される場合に該バスケットの遠位端が破損し、ここで、該所定の力が、該医療用デバイスの別の構成要素を破損させるために必要とされる力より小さい、デバイス。
【請求項２５】  さらに、以下：
ハンドル、
該ハンドルから遠位方向に延びるシースであって、該シースが、該シースの遠位端から該シースの近位端へと該シースを通って延びる管腔を有する、シース、ならびに
該シースの該管腔内に軸方向に配置される、細長牽引部材であって、該牽引部材は、前記ハンドルから遠位方向に延び、そして前記バスケットの近位端に接続されている、細長牽引部材、
を備える、請求項２４に記載のデバイス。
【請求項２６】  前記バスケットの遠位端がチップ部材を備える、請求項２４に記載のデバイス。
【請求項２７】  前記所定の力が、約２０ポンド〜５０ポンドの範囲である、請求項２４に記載のデバイス。
【請求項２８】  前記バスケットワイヤが、近位コネクタによって前記牽引部材に接合されている、請求項２５に記載のデバイス。
【請求項２９】  前記近位コネクタが、近位管状部材を備え、該近位管状部材が、遠位端、近位端、および該近位管状部材を通って延びる管腔を有し、該近位管状部材の該管腔が、前記バスケットの前記近位端を内部に受容するよう適合されている、請求項２８に記載のデバイス。
【請求項３０】  前記バスケットが、引込み位置と拡張位置との間で移動可能であり、該引込み位置において、該バスケットは前記シースの前記管腔内で折り畳まれており、そして該拡張位置において、該バスケットは該シースの前記遠位端から伸び、そして身体内の前記物体を捕獲するために該管腔の外側に配置される、請求項２５に記載のデバイス。
【請求項３１】  前記ハンドルが、少なくとも１つの始動機構を内部に備える、請求項２５に記載のデバイス。
【請求項３２】  前記牽引部材が、前記シースに対してスライド式に移動可能である、請求項２５に記載のデバイス。
【請求項３３】  前記牽引部材が、前記始動機構に接続されている、請求項３１に記載のデバイス。
【請求項３４】  前記シースが、前記牽引部材に対してスライド式に移動可能である、請求項２５に記載のデバイス。
【請求項３５】  前記シースが、前記始動機構に接続されている、請求項３１に記載のデバイス。
【請求項３６】  前記複数のワイヤがステンレス鋼を含む、請求項２４に記載のデバイス。
【請求項３７】  前記複数のワイヤがニッケルチタン合金を含む、請求項２４に記載のデバイス。
【請求項３８】  前記ハンドルが取り外し可能である、請求項２５に記載のデバイス。
【請求項３９】  前記シースが、内視鏡の作業チャネル内に嵌合するような寸法にされている、請求項２５に記載のデバイス。
【請求項４０】  前記複数のワイヤの前記端部が、前記チップジョイントにおいて、溶接によって固定されている、請求項１に記載のデバイス。
【請求項４１】  前記複数のワイヤの前記端部が、前記チップジョイントにおいて、重ね成形によって固定されている、請求項１に記載のデバイス。
【請求項４２】  前記バスケットの遠位端が溶接ジョイントを備える、請求項２４に記載のデバイス。
【請求項４３】  前記バスケットの遠位端が重ね成形ジョイントを備える、請求項２４に記載のデバイス。